(57)【要約】【課題】軒樋の支持に際して足部の負荷を軽減できるとともに軒樋の支持を強化でき、かつ、軒樋の取り付けを簡易にかつ効率的に行える軒樋支持具および軒樋支持装置を提供する。【解決手段】軒樋支持具５は、軒樋３の前後の耳部（前耳３ａ、後耳３ｂ）を係止する軒樋支持本体１０と、軒樋３の長手方向に沿うように軒先２の前方に固定されたレール３０に引っ掛けられて、レール３０の下方において軒樋支持本体１０を吊下支持する足部２０とを備えている。【選択図】図１
2018184786.tif 000002
【特許請求の範囲】
【請求項１】
軒樋の前後の耳部を係止する軒樋支持本体と、前記軒樋の長手方向に沿うように軒先の前方に固定されたレールに引っ掛けられて、前記レールの下方において前記軒樋支持本体を吊下支持する足部とを備えたことを特徴とする軒樋支持具。
【請求項２】
請求項１に記載の軒樋支持具と、該軒樋支持具が取り付けられるレールと、軒先に固定され、該軒先の前方において前記レールを前記軒樋の長手方向に沿うように支持するレール支持具とを備えていることを特徴とする軒樋支持装置。
【請求項３】
請求項２において、
前記レール支持具は、前記軒先に固定される上固定片部と、該上固定片部から前方に突出した上支持片部とを備えた上支持具、および、前記軒先に固定される下固定片部と、該下固定片部から前方に突出した下支持片部とを備えた下支持具を有してなり、前記上支持片部と前記下支持片部とにより前記レールを支持することを特徴とする軒樋支持装置。
【請求項４】
請求項２または３において、
前記レールには、前記足部が引っ掛けられる切り欠き状の位置決め凹部が形成されていることを特徴とする軒樋支持装置。
【発明の詳細な説明】
【技術分野】
【０００１】
本発明は、軒樋を吊下支持する軒樋支持具およびその軒樋支持具を含む軒樋支持装置に関する。
【背景技術】
【０００２】
従来の軒樋支持具として、軒先の前方で軒樋を吊下支持するものが種々提案されている（たとえば、特許文献１参照）。図５に示したように、この種の軒樋支持具１００は、軒先２に固定される固定部１０１から足部１０２が略水平に前方に延出する構成とされた略倒Ｌ字状の部材を用いて、軒樋支持本体１０４を介して軒樋３を吊下支持する構成となっている。
【０００３】
このような吊下支持タイプの軒樋支持具１００は、軒樋３に対し正面等から強風が吹きつけたときには軒樋３が上下方向に揺動し、それにより足部１０２、特に足部１０２と固定部１０１との角部１０３に大きな負荷がかかり、経年使用により、その部位が劣化、破損する可能性が高くなる。これに対して特許文献１のものは、強風対策として、図５におけるＸ部に、足部１０２を固定部１０１に連結させるような補強具が付加されて足部１０２および角部１０３を補強する構造となっている。
【先行技術文献】
【特許文献】
【０００４】
【特許文献１】特開２０１５−１４５５６７号公報
【発明の概要】
【発明が解決しようとする課題】
【０００５】
しかしながら、上記特許文献１のものは軒樋支持具ごとに別体の補強具が必要であるため、図５に示した従来の軒樋支持具１００にくらべて現場での取り付けには時間を要する。また、構成部品の点数が多くなるため管理や取り扱いが面倒でもある。さらに、補強具で補強しても足部１０２自体が前方に長く突出しているため足部１０２そのものの強度が向上するものではなく、既存の軒樋支持具を使用する際の一時的な補強対策にしか利用できない。
【０００６】
なお、従来には軒先にレールを取り付けて、そのレールに軒樋支持具を固定する構造の軒樋支持装置が提案されているが、そのような軒樋支持装置も軒樋支持具が図５に示したような形状であれば、軒樋支持具の足部への負荷のかかり方は図５のものと同様であり、当然に補強が必要とされる。
【０００７】
本発明は、このような事情を考慮して提案されたもので、その目的は、軒樋の支持に際して足部の負荷を軽減できるとともに軒樋の支持を強化でき、かつ、軒樋の取り付けを簡易にかつ効率的に行える軒樋支持具および軒樋支持装置を提供することにある。
【課題を解決するための手段】
【０００８】
上記目的を達成するために、請求項１に記載の軒樋支持具は、軒樋の前後の耳部を係止する軒樋支持本体と、軒樋の長手方向に沿うように軒先の前方に固定されたレールに引っ掛けられて、レールの下方において軒樋支持本体を吊下支持する足部とを備えことを特徴とする。
【０００９】
請求項２に記載の軒樋支持装置は、請求項１に記載の軒樋支持具と、該軒樋支持具が取り付けられるレールと、軒先に固定され、軒先の前方においてレールを軒樋の長手方向に沿うように支持するレール支持具とを備えていることを特徴とする。
【００１０】
請求項３に記載の軒樋支持装置は、レール支持具は、軒先に固定される上固定片部と、上固定片部から前方に突出した上支持片部とを備えた上支持具、および、軒先に固定される下固定片部と、下固定片部から前方に突出した下支持片部とを備えた下支持具を有してなり、上支持片部と下支持片部とによりレールを支持することを特徴とする。
【００１１】
請求項４に記載の軒樋支持装置は、レールには、足部が引っ掛けられる切り欠き状の位置決め凹部が形成されていることを特徴とする。
【発明の効果】
【００１２】
請求項１に記載の軒樋支持具によれば、上述した構成となっているため、軒樋の支持に際して足部の負荷を軽減できるとともに軒樋の支持を強化でき、かつ、軒樋の取り付けを簡易にかつ効率的に行える。
【００１３】
請求項２に記載の軒樋支持装置によれば、上述した構成となっているため、軒樋の支持に際して足部の負荷を軽減できるとともに軒樋の支持を強化でき、かつ、軒樋の取り付けを簡易にかつ効率的に行える。
【００１４】
請求項３に記載の軒樋支持装置によれば、上述した構成となっているため、レールを軒先前方にしっかりと固定でき、軒樋支持具が強固になることともあいまって、軒樋の支持を強化することができる。
【００１５】
請求項４に記載の軒樋支持装置によれば、軒樋支持具の位置決めを簡易にでき、さらに軒樋支持具のレールに対するずれを防止することもできる。
【図面の簡単な説明】
【００１６】
【図１】本発明の一実施形態に係る軒樋支持装置の取り付け状態における一部断面側面図である。
【図２】（ａ）（ｂ）は、同軒樋支持装置の取り付け手順を示した一部断面側面図である。
【図３】同軒樋支持装置の分解斜視図である
【図４】本発明の他の実施形態に係る軒樋支持装置の分解斜視図である。
【図５】従来の軒樋支持具の取り付け状態における側面図である。
【発明を実施するための形態】
【００１７】
以下に、本発明の実施の形態について添付図面をもとに説明する。まず、軒樋支持具５およびこれを構成部材として含んだ軒樋支持装置１の概略基本構成について説明する。
【００１８】
本軒樋支持具５は、軒樋３の前後の耳部（前耳３ａおよび後耳３ｂ）を係止する軒樋支持本体１０と、軒樋３の長手方向に沿うように軒先２の前方に固定されたレール３０に引っ掛けられて、レール３０の下方において軒樋支持本体１０を吊下支持する足部２０とを備えている。
【００１９】
また、本軒樋支持装置１は、上記軒樋支持具５と、この軒樋支持具５が取り付けられるレール３０と、軒先２に固定され、軒先２の前方においてレール３０を軒樋３の長手方向に沿うように支持するレール支持具４０とを備えた構成とされる。
【００２０】
ここで軒先２とは、軒裏の鼻隠し板、垂木、軒桁、外壁、野地板などとされる。本実施形態では、後述するように、レール支持具４０は軒先２の上下２箇所に固定されるようになっており、以下の実施形態の説明では、上側の固定位置を軒先（上）２と称し、下側の固定位置を軒先（下）２と称する。
【００２１】
以下、軒樋支持具５を含む軒樋支持装置１の各部について、図１〜図４を参照して順次詳細に説明する。
【００２２】
軒樋支持装置１に支持される軒樋３は本実施形態の例では長尺状の角樋とされるが、これには限らず、丸樋であってもよい。この軒樋３の前後の開口縁には、長手方向の全長にわたって前耳３ａおよび後耳３ｂが形成されている。この軒樋３は軒先において、長手方向に沿ってわずかに傾斜させて水勾配を設けた状態で軒先に沿うように配設される。
【００２３】
軒樋支持装置１は、この軒樋３を、軒樋３の長手方向の複数箇所で直接吊り支持する軒樋支持具５と、軒樋支持具５を取り付けるためのレール３０と、このレール３０を軒先２に固定するためのレール支持具４０とを備えている。まず、軒樋支持具５自体を支持するレール３０およびレール支持具４０について説明する。
【００２４】
レール３０は、図２に示すように、軒樋３の長手方向に沿って配される帯板状の幅寸法が略均一な部材であり、板面を略水平方向に前後に向け、長手方向を横方向に合わせるようにして配される。このレール３０の上端には、図２に示すように、軒樋支持具５を取り付けるための、切り欠き状の位置決め凹部３１が一定間隔に形成されていることが望ましい。
【００２５】
レール支持具４０は、レール３０を軒先２の前方の離間した位置に配するように支持するための部材であり、本実施形態では、上支持具４１と下支持具４２の２種の板状の支持具で構成されている。図例のようにレール支持具４０を前方に延ばすように設けるのは、軒樋３を雨水の適切な落下位置に配するためである。
【００２６】
一方の上支持具４１は、軒先（上）２に固定される上固定片部４１ａと、レール３０に固定される上支持片部４１ｂと、それらをつなぐ本体片部４１ｃとを備えている。他方の下支持具４２は軒先（下）２に固定される下固定片部４２ａと、レール３０に固定される下支持片部４２ｂと、それらをつなぐ本体片部４２ｃを備えている。
【００２７】
図例では、上支持具４１は、上固定片部４１ａが軒先（上）２に添設され得るように本体片部４１ｃの後端より上方に延出し、上支持片部４１ｂが本体片部４１ｃの前端より下方に延出した形状とされる。一方、下支持具４２は、下固定片部４２ａが軒先（下）２に添設され得るように本体片部４２ｃの後端より下方に延出し、下支持片部４２ｂが本体片部４２ｃの前端より上方に延出した形状とされる。
【００２８】
これらの支持具は軒先２の適所に取り付けられればよい。なお、レール支持具４０は上下の２種の支持具でなく１種の構成でもよいが、レール３０とともに、複数の軒樋支持具５およびそれらに吊り支持される軒樋３を支持するものであるため、上下でレール３０を強固に支持することが望ましい。また、これらのレール支持具４０は厚めで頑丈な板材で形成されることが望ましい。
【００２９】
上支持具４１の上固定片部４１ａは、ねじなどの固定具５１で軒先（上）２に固定される。上支持具４１の上支持片部４１ｂはその前面をレール３０の上部後面にあてがうようにして、ねじなどの固定具５２で固定される。また、下支持具４２の下固定片部４２ａは、ねじなどの固定具５１で軒先（下）２に固定される。下支持具４２の下支持片部４２ｂはその後面をレール３０の下部前面にあてがうように、かつレール３０が本体片部４２ｃに載せ置かれるようにして、ねじなどの固定具５２で固定される。
【００３０】
また、図２に示すように、上支持具４１と下支持具４２とを対にしてレール３０の長手方向の同じ位置に設けることが望ましいが、長手方向における別々の位置に取り付けるようにしてもよい。同じ位置に取り付ける場合は、上支持片部４１ｂと下支持片部４２ｂとは、それらがレール３０を挟むようにして取り付けられる。
【００３１】
レール３０は下支持具４２の本体片部４２ｃの入隅に位置合わせするようにして配するものであるから、下支持具４２の軒先（下）２への固定位置で水勾配を調整すれば、それによりレール３０を所定の傾斜角度で配設することができる。そのため、軒樋３自体の傾斜調整が不要となる。
【００３２】
なお、上支持具４１および下支持具４２の各部の形状や、軒先２への取り付け手段、レール３０への取り付け手段については、このようなものには限られず、どのようなものであってもよい。
【００３３】
軒樋支持具５は、上述したように、軒樋支持本体１０と足部２０とを備えている（図１および図２参照）。軒樋支持本体１０は略帯板状とされ、長孔１１ａを有した本体部１１と、本体部１１の前端側に形成された前耳係止部１２と、本体部１１の後端より後方側に形成された後耳係止部１３とを備えている。
【００３４】
板状の本体部１１には長手方向に沿って長孔１１ａが形成されており、軒樋支持具５は、その長孔１１ａを上下に向けるように施工されるようになっている。この長孔１１ａは足部２０を前後調整可能に取り付けできるようにしたものであり、これにより軒樋３の出具合調整が可能とされる。
【００３５】
前耳係止部１２は上方に突出している。この前耳係止部１２に軒樋３のフック状の前耳３ａが引っ掛けられて係止される。一方、後耳係止部１３は、下面に係止板ばね片１３ａが取り付けられて係止凹所１３ｂが形成されてなる。軒樋３の後部上端において後方に膨出した後耳３ｂは、後方に突出した前ばね片１３ａｂを下方より押圧するようにして係止凹所１３ｂに収容されて係止される。後耳３ｂが係止凹所１３ｂに収容された後には、前ばね片１３ａｂが後耳３ｂのずれ動きおよび外れを防止するようになっている。
【００３６】
一方、足部２０は略Ｌ字状とされ、縦片２１と、縦片２１の上端より折り返された折り返し片２２と、下横片２３とよりなる。縦片２１と折り返し片２２とでレール３０に引っ掛けるための引っ掛け部２５が構成され、縦片２１と下横片２３とで軒樋支持本体１０を吊下するための吊下支持部２６が構成される。
【００３７】
引っ掛け部２５は、前後に配された縦片２１と折り返し片２２とによりレール３０を挟持できるようになっている。折り返し片２２は上下方向の略中央にネック部２２ａが形成され、それにより折り返し片２２と縦片２１との間に、レール３０をしっかりと挟み込みするための挟着空間が形成されている。また折り返し片２２のネック部２２ａの下方側には開口を拡げるようなガイド片２２ｂが形成されている。この折り返し片２２はばね性を有していることが望ましい。さらに、縦片２１とレール３０と折り返し片２２とをボルト、ナットで固定するようにしてもよい。
【００３８】
レール３０に対する軒樋支持具５の足部２０の取り付け位置は、本図例では、レール３０の位置決め凹部３１とされる。この位置決め凹部３１はその底部に足部２０が引っ掛けられ、かつ、凹部幅の寸法が足部２０の幅寸法とほぼ同じかやや大とした寸法とすることが望ましい。この位置決め凹部３１に足部２０が取り付けられることで、軒樋支持具５の左右の位置ずれを防止することができる。
【００３９】
吊下支持部２６の下横片２３は丸孔２３ａを有しており、下横片２３を軒樋支持本体１０の本体部１１に重合するようにして、下横片２３の丸孔２３ａを下方の本体部１１の長孔１１ａの適所に合わせてボルト５３、ナット５４で相互に固定できるようになっている。上述したように、両部材の連結位置の前後調整により軒樋３の出具合を調整することができる。
【００４０】
このようにして、本軒樋支持具５は軒樋支持本体１０の中間部に連結された足部２０によりレール３０に吊下され、足部２０の下方にて軒樋支持本体１０を介して軒樋３を支持する。
【００４１】
以上に説明したように、本軒樋支持装置１、本軒樋支持具５によれば、軒先２から前方に離反した位置において、軒樋支持具５に取り付けた軒樋３を足部２０の下方で吊下支持することができる。軒先２前方での吊下支持にもかかわらず、足部２０として前後に長いものを用いなくてもよい。そのため強風などのときにも足部２０には大きな負荷がかかりにくくなる。
【００４２】
軒樋支持具５でより強固に軒樋３を支持できるようにするためには、レール支持具４０でレール３０を強固に固定すればよい。たとえばレール支持具４０の各支持具の厚みを厚くしたり、レール支持具４０を多く用いることで、より強固な支持を実現することができる。特に、本実施形態ではレール支持具４０が２種の支持具を上下に配する構成であるため、強風による軒樋３や軒樋支持具５、レール３０の揺動を防止することができる。なお、レール支持具４０は２種のものを用いなくてもよく、１種のものでレール３０を支持する構成であってもよい。
【００４３】
また、軒樋支持具５は足部２０をレール３０に引っ掛けて取り付けできるので、施工を効率的に行える。軒樋支持具５をレール３０のどの位置にでも取り付けできるようにすれば、現場での位置調整がしやすくなる。本実施形態の図例のように、軒樋支持具５を位置決め凹部３１に取り付けるようにすれば、軒樋支持具５の位置決め調整が不要となるため迅速な施工ができ、また施工後の軒樋支持具５の左右方向の位置ずれを防止することもできる。
【００４４】
以上に説明した実施形態では、レール支持具４０を構成する上支持具４１および下支持具４２を個別にレール３０に固定する構成となっているが、図４に示した軒樋支持装置１Ａのように、あらかじめ上支持具４１Ａと下支持具４２Ａとを連結させておき、その連結体を軒先２に固定してからレール３０を取り付けるようにしてもよい。
【００４５】
図４に示したレール支持具４０Ａは、上支持具４１Ａが上支持片部４１ｂの下端より後方に延びてなる連結片４１ｄをさらに有しており、その連結片４１ｄを下支持具４２Ａの本体片部４２ｃに連結固定するようになっている。連結された状態では、上支持片部４１ｂと下支持片部４２ｂとの間にはレール収容凹所４３が形成され、そのレール収容凹所４３にレール３０を差し込みできるようになっている。なお、上支持具４１の上固定片部４１ａおよび本体片部４１ｃならびに下支持具４２の下固定片部４２ａおよび本体片部４２ｃの形状や軒先２への取り付け方法は図１のものと同様である。
【００４６】
このような支持具どうしの連結は出荷前あるいは現場において軒先２へ取り付ける前にあらかじめしておけばよい。そして、こうして軒先２に取り付け固定したレール支持具４０（連結体）のレール収容凹所４３にレール３０を装着するだけでよく、レール３０の取り付けを迅速に行うことができる。
【００４７】
なお、軒樋支持具５の構成およびそのレール３０に対する取り付けについては図１の実施形態のものと同様であるため、軒樋支持具５の構成部には同一の符号を付して、その説明は省略する。
【符号の説明】
【００４８】
１、１Ａ        軒樋支持装置
２              軒先、軒先（上）、軒先（下）
３              軒樋
３ａ            前耳
３ｂ            後耳
５              軒樋支持具
１０            軒樋支持本体
１１            本体部
１１ａ          長孔
１２            前耳係止部
１３            後耳係止部
１３ａ          係止板ばね片
１３ａｂ        前ばね片
１３ｂ          係止凹所
２０            足部
２１            縦片
２２            折り返し片
２２ａ          ネック部
２２ｂ          ガイド片
２３            下横片
２３ａ          丸孔
２５            引っ掛け部
２６            吊下支持部
３０            レール
３１            位置決め凹部
４０、４０Ａ    レール支持具
４１、４１Ａ    上支持具
４１ａ          上固定片部
４１ｂ          上支持片部
４１ｃ          本体片部
４１ｄ          連結片
４２、４２Ａ    下支持具
４２ａ          下固定片部
４２ｂ          下支持片部
４２ｃ          本体片部
【図１】
2018184786.tif 000003
【図２】
2018184786.tif 000004
【図３】
2018184786.tif 000005
【図４】
2018184786.tif 000006
【図５】
2018184786.tif 000007
【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
軒樋の前後の耳部を係止する軒樋支持本体と、前記軒樋の長手方向に沿うように軒先の前方に固定されたレールに引っ掛けられて、前記レールの下方において前記軒樋支持本体を吊下支持する足部とを備えた軒樋支持具と、
前記軒樋支持具が取り付けられるレールと、
前記レールを支持するレール支持具とを備えており、
前記レール支持具は、前記軒先に、該軒先より前方に突出するように固定され、該レール支持具の前端において、前記レールを前記軒樋の長手方向に沿わせるように支持することを特徴とする軒樋支持装置。
【請求項２】
請求項１において、
前記レール支持具は、前記軒先に固定される上固定片部と、該上固定片部から前方に突出した上支持片部とを備えた上支持具、および、前記軒先に固定される下固定片部と、該下固定片部から前方に突出した下支持片部とを備えた下支持具を有してなり、前記上支持片部と前記下支持片部とにより前記レールを支持することを特徴とする軒樋支持装置。
【請求項３】
請求項１または２において、
前記レールには、前記足部が引っ掛けられる切り欠き状の位置決め凹部が形成されていることを特徴とする軒樋支持装置。
【手続補正３】
【補正対象書類名】明細書
【補正対象項目名】０００１
【補正方法】変更
【補正の内容】
【０００１】
本発明は、軒樋を吊下支持する軒樋支持具を含む軒樋支持装置に関する。
【手続補正４】
【補正対象書類名】明細書
【補正対象項目名】０００７
【補正方法】変更
【補正の内容】
【０００７】
本発明は、このような事情を考慮して提案されたもので、その目的は、軒樋の支持に際して足部の負荷を軽減できるとともに軒樋の支持を強化でき、かつ、軒樋の取り付けを簡易にかつ効率的に行える軒樋支持装置を提供することにある。
【手続補正５】
【補正対象書類名】明細書
【補正対象項目名】０００８
【補正方法】変更
【補正の内容】
【０００８】
上記目的を達成するために、請求項１に記載の軒樋支持具は、軒樋の前後の耳部を係止する軒樋支持本体と、軒樋の長手方向に沿うように軒先の前方に固定されたレールに引っ掛けられて、レールの下方において軒樋支持本体を吊下支持する足部とを備えた軒樋支持具と、軒樋支持具が取り付けられるレールと、レールを支持するレール支持具とを備えており、レール支持具は、軒先に、該軒先より前方に突出するように固定され、該レール支持具の前端において、レールを軒樋の長手方向に沿わせるように支持することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
請求項２に記載の軒樋支持装置は、レール支持具は、軒先に固定される上固定片部と、上固定片部から前方に突出した上支持片部とを備えた上支持具、および、軒先に固定される下固定片部と、下固定片部から前方に突出した下支持片部とを備えた下支持具を有してなり、上支持片部と下支持片部とによりレールを支持することを特徴とする。
【手続補正８】
【補正対象書類名】明細書
【補正対象項目名】００１１
【補正方法】変更
【補正の内容】
【００１１】
請求項３に記載の軒樋支持装置は、レールには、足部が引っ掛けられる切り欠き状の位置決め凹部が形成されていることを特徴とする。
【手続補正９】
【補正対象書類名】明細書
【補正対象項目名】００１２
【補正方法】変更
【補正の内容】
【００１２】
請求項１に記載の軒樋支持装置によれば、上述した構成となっているため、軒樋の支持に際して足部の負荷を軽減できるとともに軒樋の支持を強化でき、かつ、軒樋の取り付けを簡易にかつ効率的に行える。
【手続補正１０】
【補正対象書類名】明細書
【補正対象項目名】００１３
【補正方法】変更
【補正の内容】
【００１３】
また、請求項１に記載の軒樋支持装置によれば、上述した構成となっているため、軒樋の支持に際して足部の負荷を軽減できるとともに軒樋の支持を強化でき、かつ、軒樋の取り付けを簡易にかつ効率的に行える。
【手続補正１１】
【補正対象書類名】明細書
【補正対象項目名】００１４
【補正方法】変更
【補正の内容】
【００１４】
請求項２に記載の軒樋支持装置によれば、上述した構成となっているため、レールを軒先前方にしっかりと固定でき、軒樋支持具が強固になることともあいまって、軒樋の支持を強化することができる。
【手続補正１２】
【補正対象書類名】明細書
【補正対象項目名】００１５
【補正方法】変更
【補正の内容】
【００１５】
請求項３に記載の軒樋支持装置によれば、軒樋支持具の位置決めを簡易にでき、さらに軒樋支持具のレールに対するずれを防止することもできる。